(57)【要約】【課題】  監視対象者と監視者とが互いに離れていても、監視者が監視対象者の活動状態を監視することができる監視システムを提供する。【解決手段】  この監視システムでは、監視対象者の服に取り付けられたＩＣタグ３から感知信号が発信され、この感知信号が監視対象者が携帯している携帯電話機５によって監視者に向けて送信されている間は、監視者が携帯している携帯電話機７ではなんの変化もないが、監視対象者がなんらかの原因で動かなくなり感知信号が発信されなくなると、最後に受信した感知信号に基づいて、その感知信号が発信された位置や時刻が、地図と共に携帯電話機７のモニタに表示される（Ｓ４２）。そのため、この監視システム１を用いれば、監視者と監視対象者とが互いに離れていても、監視対象者に異常があったことを早く、その位置及び時間を的確に知ることができる。【選択図】  図６
2007004597.tif 000002
【特許請求の範囲】
【請求項１】
監視対象の動作を感知して、この感知による感知信号を無線で発信する１つ以上のＩＣタグと、
このＩＣタグから前記感知信号を受信する第１受信手段と、この第１受信手段で受信した前記感知信号を一般公衆回線を介してさらに送信する送信手段を備える第１装置と、
この第１装置から一般公衆回線を介して前記感知信号を受信する第２受信手段と、この第２受信手段で受信した前記感知信号に基づき、前記監視対象の動作状態を表示出力あるいは音出力する出力手段とを備える第２装置と
を備えることを特徴とする監視システム。
【請求項２】
請求項１記載の監視システムにおいて、
前記ＩＣタグは、
圧縮されると電力を出力する圧電素子と、前記監視対象から慣性力を受けると前記圧電素子を圧縮する感知錘と、前記圧電素子から入力した前記電力により前記感知信号を無線で発信する発信手段とを備えることを特徴とする監視システム。
【請求項３】
請求項１〜２のいずれかに記載の監視システムにおいて、前記第１装置は、携帯可能に形成されていることを特徴とする監視システム。
【請求項４】
請求項１〜３のいずれかに記載された監視システムにおいて、前記第２装置は、携帯可能に形成されていることを特徴とする監視システム。
【請求項５】
請求項１〜４のいずれかに記載された監視システムにおいて、
前記第１装置は、前記第１受信手段が前記感知信号を受信した受信位置を特定する受信位置特定手段を備え、
前記送信手段は、前記受信位置特定手段で特定された前記受信位置に関する受信位置情報を有する前記感知信号を送信し、
前記出力手段は、前記受信位置情報に基づいて、前記監視対象の動作位置を表示出力あるいは音出力することを特徴とする監視システム。
【請求項６】
請求項５に記載された監視システムにおいて、
前記出力手段は、地図情報を記憶する地図情報記憶手段を備え、前記受信位置情報及び前記地図情報に基づいて、前記監視対象の動作位置を地図上に表示出力することを特徴とする監視システム。
【請求項７】
請求項１〜６のいずれかに記載された監視システムにおいて、
前記第１装置は、前記第１受信手段が前記感知信号を受信した受信時刻を特定する受信時刻特定手段を備え、
前記送信手段は、前記受信時刻特定手段で特定された前記受信時刻に関する受信時刻情報を有する前記感知信号を送信し、
前記出力手段は、前記受信時刻情報に基づいて、前記監視対象の動作時刻を表示出力あるいは音出力することを特徴とする監視システム。
【発明の詳細な説明】
【技術分野】
【０００１】
本発明は、人や物の動きを監視する監視システムに関する。
【発明の開示】
【発明が解決しようとする課題】
【０００２】
近年、１人暮らしのお年寄りが孤独死する事件が多く発生している。
この事件は、お年寄りが住む場所と、その親類が住む場所とが互いに離れているため、お年寄りが病気等で倒れ、身動きできないようなことがあっても、お年寄りが自力で親類に連絡できない場合が多いことなどが原因であると考えられる。
【０００３】
このようなお年寄りの孤独死を防止するには、お年寄り等の監視対象者と、その親類等の監視者とが互いに離れていても、監視対象者の活動状態を監視者が把握できることが望ましい。
【０００４】
そこで本発明では、監視対象者と監視者とが互いに離れていても、監視者が監視対象者の活動状態を監視することができる監視システムを提供することを目的とする。
【課題を解決するための手段】
【０００５】
ところで人は健康であれば何らかの動きがある。一方、人は、死亡したり、気を失ったりしたときは、動きが止まる。そのため、監視対象者の動作の有無を、監視対象から見て遠方にいる監視者が知ることができれば、監視対象者と監視者とが互いに離れていても、監視者が監視対象者の健康状態を監視することができる。
【０００６】
そこで、上述した問題を解決するためになされた発明である請求項１記載の監視システムは、監視対象の動作を感知して、この感知による感知信号を無線で発信する１つ以上のＩＣタグと、このＩＣタグから前記感知信号を受信する第１受信手段と、この第１受信手段で受信した前記感知信号を一般公衆回線を介してさらに送信する送信手段を備える第１装置と、この第１装置から一般公衆回線を介して前記感知信号を受信する第２受信手段と、この第２受信手段で受信した前記感知信号に基づき、前記監視対象の動作状態を表示出力あるいは音出力する出力手段とを備える第２装置とを備えることを特徴とする。
【０００７】
上述したように、人は健康であれば何らかの動きがあり、一方、人は死亡したり気を失ったりしたときには動きが止まる。そのため、本発明の監視システムを構成するＩＣタグを監視対象である監視対象者に取り付けておけば、このＩＣタグは、監視対象の動作を感知して、この感知による感知信号を無線で発信するので、監視対象者が健康で活動していれば、感知信号が発信される。
【０００８】
また本発明の監視システムでは、このＩＣタグから発信された感知信号を、第１装置を構成する第１受信手段が受信することができれば、第１装置を構成する送信手段が、一般公衆回線を介してさらに送信する。そのため、監視対象に取り付けられたＩＣタグから感知信号を受信できる位置（監視対象の近傍）に第１装置を配置しておけば、一般公衆回線を利用することによって、感知信号をさらに遠方に送信することができる。
【０００９】
そして、本発明の監視システムでは、第２装置の第２受信手段が、この第１装置から一般公衆回線を介して感知信号を受信すると、第２装置の出力手段がこの第２受信手段で受信した感知信号に基づき、監視対象の動作状態を表示出力あるいは音出力する。そのため、監視者の近傍に第２装置を配置すれば、この第２装置が感知信号を受信したとき、監視対象の動作状態が表示出力あるいは音出力されるので、監視者は、遠方の監視対象者が活動しているか否かを第２装置からの出力によって把握することができる。
【００１０】
従って、この監視システムを用いると、監視者と監視対象者とが互いに離れていても、監視者が監視対象者の活動状態を監視することができる。
尚、動作状態とは、監視対象の動作の有無や、動作の大小や頻度などを言うが、これらに限られるものではない。
【００１１】
請求項２に記載したように、ＩＣタグとしては、具体的には、圧縮されると電力を出力する圧電素子と、前記監視対象から慣性力を受けると前記圧電素子を圧縮する感知錘と、前記圧電素子から入力した前記電力により前記感知信号を無線で発信する発信手段とを備えているものでもよい。
【００１２】
このＩＣタグは、いわゆる加速度センサのように、監視対象が動いて感知錘に慣性力が作用すると、感知錘が圧電素子を押圧し、この押圧された圧電素子から電力が出力されるよう構成されている。そして、このＩＣタグは、この電力を利用して、発信手段が感知信号を無線で発信している。このように、このＩＣタグは、簡単な構造で監視対象の動作状態を感知することができ、しかも、その感知信号を発信することができる。
【００１３】
請求項３に記載したように、第１装置は、携帯可能に形成されていてもよい。このように形成すると、監視対象者にＩＣタグを取り付けて監視する場合に、監視対象者が第１装置を携帯できるので、ＩＣタグから発信される送信距離の短い感知信号でも確実に受信できる。また、ＩＣタグから発信される感知信号は、一般に通信距離が短いので、ＩＣタグから発信される感知信号の送信範囲外に第１装置を投げるなどして離せば、ＩＣタグから感知信号が発信されていても、第１装置はＩＣタグから感知信号を受信できなくなる。そのため、第２装置において、感知信号が受信できなくなったら警報音を出力する等の設定をしておけば、監視対象者は、第１装置を自分から遠ざけるだけで、なんらかの異変が生じたことを、監視者に知らせることができる。近年子供や女性の誘拐が多発しているので、女性や子供に本発明の監視システムのＩＣタグを服や身の回り品に取り付け、第１装置を女性や子供に携帯させれば、女性や子供は、第１装置を遠ざけるだけの簡単な操作で、親等の監視者に異常事態が発生したことを知らせることができる。
【００１４】
請求項４に記載したように、第２装置は、携帯可能に形成されていてもよい。このようにすれば、監視者は、監視対象者の活動状態を移動先でも監視することができる。
請求項５に記載した監視システムは、第１装置の第１受信手段が感知信号を受信した受信位置を特定する受信位置特定手段を備え、第１装置の送信手段が、受信位置特定手段で特定された受信位置に関する受信位置情報を有する感知信号を送信し、第２装置の出力手段が、受信位置情報に基づいて、監視対象の動作位置を表示出力あるいは音出力することを特徴とする。この監視システムでは、第１装置が感知信号を受信した受信位置を監視対象の動作位置として出力するよう構成されているが、これは、ＩＣタグから発信される感知信号の通信距離が短く、また、第２装置が第１装置及び監視対象から見て遠方にあるので、第２装置から見た第１装置の位置と監視対象の位置がほとんど変わらないためである。このように構成された監視システムでは、受信位置情報を利用すれば、監視対象の活動が停止したときなど、活動状態に変化があったとき、その位置が表示出力あるいは音出力されるので、その変化があった位置を適格に把握することができる。
【００１５】
尚、請求項６に記載したように、出力手段は、地図情報を記憶する地図情報記憶手段を備え、受信位置情報及び地図情報に基づいて、監視対象の動作位置を地図上に表示出力する。このようにすれば、監視対象の位置を、遠方にいる監視者は、地理感覚的に分かりやすく、かつ、正確に把握することができる。
【００１６】
請求項７に記載したように、第１装置は、第１受信手段が感知信号を受信した受信時刻を特定する受信時刻特定手段を備え、送信手段は、受信時刻特定手段で特定された受信時刻に関する受信時刻情報を有する感知信号を送信し、出力手段は、受信時刻情報に基づいて、監視対象の動作時刻を表示出力あるいは音出力してもよい。第１装置が感知信号を受信する時刻は、ほぼＩＣタグが感知信号を発信する時刻である。この監視システムを用いれば、監視対象の活動が停止したときなど、活動状態に変化があったとき、その時刻が表示出力あるいは音出力されるので、その変化があった時刻を適格に把握することができる。
【発明を実施するための最良の形態】
【００１７】
以下、本発明を実施するための最良の形態について図面を用いて説明する。
図１は本実施形態の監視システムの全体を示す模式図で、図２はＩＣタグの説明図で、（ａ）はＩＣタグの斜視図、（ｂ）（ｃ）は（ａ）のＡ−Ｂ、Ａ’−Ｂ’の各一点鎖線を通る断面で分割したときのＩＣタグの分割面の平面図で、（ｂ）は、Ａ、Ａ’で示す矢印の方向を見た平面図であって、ＩＣタグを構成する加速度センサの平面図、（ｃ）は、Ｂ、Ｂ’で示す矢印の方向を見た平面図であって、ＩＣタグを構成する発信部の平面図である。図３は、第１通信装置の内部構成を示すブロック図、図４は第２通信装置の内部構成を示すブロック図である。
【００１８】
本実施形態の監視システム１は、図１に示すように、ＩＣタグ３と、携帯電話機５と、携帯電話機７とを備えている。
ＩＣタグ３は、図２（ａ）に示すように、平板状に形成された加速度センサ３０と、平板状に形成された発信器４０とを備えており、これら（３０，４０）を重ね合わせて形成されている。
【００１９】
このうち加速度センサ３０は、図１（ｂ）に示すように、筐体３２と、感知錘３４と、圧電素子３６とを備えており、筐体３２は、平板状に形成され、発信器４０との積層面側に、感知錘３４と圧電素子３６とを収納可能な収納穴３２ａが形成されている。圧電素子３６は、収納穴３２ａの深さ方向に沿った一壁面に一端が固定された状態で、この収納穴３２ａ内に収納されている。感知錘３４は、この収納穴３２ａ内で移動自在な大きさに形成され、収納穴３２ａ内で圧電素子３６の他端に固定されている。そして圧電素子３６からは、一対の電力線３６ａが発信器４０側に向かって延設されている。
【００２０】
この加速度センサ３０は、ＩＣタグ３が監視対象者に取り付けられて動かされると感知錘３４に慣性力が作用し、この慣性力により感知錘３４が圧電素子３６を圧縮する。すると、圧電素子３６が電力を発生させるので、この電力が電力線３６ａを介して発信器４０に出力される。
【００２１】
発信器４０は、図１（ｃ）に示すように、筐体４２と、ＩＣチップ４４と、アンテナ４６とを備えており、筐体４２は、直方体状に形成され、加速度センサ３０との積層面側に、ＩＣチップ４４とアンテナ４６とを収納可能な収納穴４２ａが形成されている。ＩＣチップ４４には、ＩＣタグ３を識別するための識別情報その他の各種情報が記憶されている。また、ＩＣチップ４４には、圧電素子３６から延設された電力線３６ａの一端が取り付けられ、圧電素子３６から電力を入力する。アンテナ４６は、ループ状に形成されており、ＩＣチップ４４に接続されている。
【００２２】
この発信器４０は、加速度センサ３０からＩＣチップ４４に電力が入力されると、ＩＣチップ４４がこの電力を利用して識別情報を有する感知信号を作成し、この感知信号をアンテナ４６から無線で発信する。
【００２３】
次に、携帯電話機５は、図３に示すように、中央制御部５０、携帯電話用通信部５１、ＩＣタグ用通信部５２、ＧＰＳ受信部５３、記憶部５４、操作ボタン制御部５５、モニタその他の装置部５９を備えている。
【００２４】
中央制御部５０は、ＣＰＵ、ＲＯＭ、ＲＡＭ５０ａ等からなるコンピュータ装置で、携帯電話用通信部５１、ＩＣタグ用通信部５２、ＧＰＳ受信部５３、記憶部５４、操作ボタン制御部５５、その他の装置部５９と互いに通信可能に接続され、後述する中継処理その他の処理を実行する。携帯電話用通信部５１は、一般公衆回線９（図１参照）との間で無線により通信し、一般公衆回線９に接続された他の端末との間で通信回線を確立可能な通信装置である。この携帯電話用通信部５１が通信回線を確立すると、中央制御部５０は、この携帯電話用通信部５１を介して一般公衆回線９に通信可能に接続された各端末と通信することができる。ＩＣタグ用通信部５２は、ＩＣタグ３から発信された感知信号を受信する受信装置で、感知信号を受信したら、その感知信号を中央制御部５０に出力する。ＧＰＳ受信部５３は、ＧＰＳ衛星から発信される位置測定用の信号を受信し、その信号の受信位置を算出し、その算出した受信位置を示す受信位置情報を中央制御部５０に出力する。記憶部５４は、本実施形態で使用する各ＩＣタグ３の識別情報その他の情報を記憶する装置で、ハードディスク、ＩＣメモリ等の記憶デバイスからなる。この記憶部５４は、中央制御部５０からの指令に応じて、入力した各種情報を記憶し、あるいは記憶された情報を出力する。操作ボタン制御部５５は、携帯電話機５の筐体部表面に形成された操作ボタン５ａが、操作者の操作を受け付けたことを示す操作情報を中央制御部５０に出力するものである。
【００２５】
携帯電話機７は、図４に示すように、中央制御部７０、携帯電話用通信部７１、記憶部７２、モニタ７３、スピーカ７４、操作ボタン制御部７５、その他の装置部７９を備えている。
【００２６】
中央制御部７０は、ＣＰＵ、ＲＯＭ、ＲＡＭ７０ａ等からなるコンピュータ装置で、携帯電話用通信部７１、記憶部７２、モニタ７３、スピーカ７４、操作ボタン制御部７５、その他の装置部７９と互いに通信可能に構成され、後述する警報処理、その他の処理を実行する。携帯電話用通信部７１は、一般公衆回線９（図１参照）との間で無線により通信し、一般公衆回線９に接続された他の端末との間で通信回線を確立可能な通信装置である。この携帯電話用通信部７１が通信回線を確立すると、中央制御部７０は、この携帯電話用通信部７１を介して一般公衆回線９に通信可能に接続された各端末と通信することができる。記憶部７２は、地図情報、各ＩＣタグ３の識別情報、その他の情報が記憶されたそう地で、ハードディスク、ＩＣメモリ等の記憶デバイスからなる。この記憶部７２は、中央制御部５０からの指令に応じて、入力した各種情報を記憶し、あるいは記憶された情報を出力する。モニタ７３は、携帯電話機７の筐体の表面に表示面が形成された表示装置であり、中央制御部７０の命令に従って各種画像を表示面に表示する。スピーカ７４は、中央制御部７０の命令に従って、警報音その他の音を出力する。操作ボタン制御部７５は、携帯電話機７の筐体部表面に形成された操作ボタン７ａが、操作者の操作を受け付けたことを示す操作情報を中央制御部７０に出力するものである。
【００２７】
次に、携帯電話機５で実行される中継処理（Ｓ１）について説明する。
ここで、図５は、携帯電話機５で実行される中継処理（Ｓ１）のフローチャートである。
【００２８】
携帯電話機５の中央制御部５０は、図５に示すように、携帯電話機５の筐体の表面に形成された操作ボタン５ａ（図１参照）を所定の順番で操作（以下「開始操作」という）すると開始され、中央制御部５０はまず、この開始操作がなされたか否かを判定する（Ｓ１０）。この判定（Ｓ１０）で、開始操作がなされていないと判定された場合は（Ｓ１０：ＮＯ）待機し、開始操作がなされたと判定された場合は（Ｓ１０：ＹＥＳ）、Ｓ１２の処理を実行する。尚、この中継処理（Ｓ１）は、開始操作と同じ操作を行うと、随時終了する。
【００２９】
Ｓ１２では、中央制御部５０は、携帯電話用通信部５１及びＧＰＳ受信部５３等を起動する処理を実行する。携帯電話用通信部５１は、起動すると、一般公衆回線９を介して携帯電話機７と通信して、携帯電話機７との間に通信回線を確立する処理を実行する。尚、携帯電話機７において携帯電話機５と通信回線を確立する処理が実行され、携帯電話機７から携帯電話機５に通信回線を確立することを要求する信号を受信したときは、このＳ１２の処理が実行されるまで携帯電話機７側では待機し、このＳ１２が実行されたら、通信回線を確立するようにしてもよいし、その逆に、携帯電話機５において携帯電話機７と通信回線を確立するこのＳ１２の処理が実行され、携帯電話機５から携帯電話機７に通信回線を確立することを要求する信号を送信し、後述する警報処理のＳ３４の処理が実行されるまで携帯電話機５側では待機し、このＳ３２が実行され、携帯電話機７から通信を許可する旨の信号を受信したら、通信回線を確立するようにしてもよい。その他、通信回線の確立の方法は、どのような方法で確立してもよい。ＧＰＳ受信部５３は、起動すると、以後中継処理とは関係なく、ＧＰＳ衛星から発信される位置測定用の信号を受信し、その受信した位置測定用の信号から受信位置を算出して、その受信位置を示す受信位置情報を中央制御部５０に出力する処理を繰り返し実行する。中央制御部５０は、この受信位置情報を入力したらＲＡＭ５０ａに記憶し、以後、受信位置情報を入力するたびにＲＡＭ５０ａに記憶した受信位置情報を更新する。そのため、ＲＡＭ５０ａに記憶される受信位置情報は、常に最新な状態に保たれる。そして、このＳ１２により各部を起動すると、次にＳ１４の処理を実行する。
【００３０】
Ｓ１４では、中央制御部５０は、ＩＣタグ用通信部５２がＩＣタグ３から感知信号を受信したか否かを判定する。具体的には、ＩＣタグ用通信部５２がＩＣタグ３から感知信号を受信したら、その感知信号が中央制御部５０に入力されるので、中央制御部５０は、感知信号の入力があったか否かを判定する。このＳ１４の判定で、感知信号を受信したと判定したら（Ｓ１４：ＹＥＳ）、Ｓ１６の処理を実行し、感知信号を受信していないと判定したら（Ｓ１４：ＮＯ）、待機する。
【００３１】
Ｓ１６では、中央制御部５０は、受信した感知信号が、監視対象のＩＣタグ３から受信したものか否かを判定する処理を実行する。具体的には、感知信号には、識別情報が含まれているので、中央制御部５０は、その感知信号に含まれる識別情報と記憶部５４に記憶されている識別情報とを比較し、感知信号に含まれる識別信号が記憶部５４に記憶されている識別信号の中に含まれていたら（Ｓ１６：ＹＥＳ）、Ｓ１８の処理を実行し、含まれていなかったら再びＳ１４の処理を実行する（Ｓ１６：ＮＯ）。
【００３２】
Ｓ１８では、中央制御部５０は、監視対象のＩＣタグ３の識別情報と、このＳ１８の処理を開始したときの時刻に関する情報（以下受信時刻情報という。）と、ＲＡＭ５０ａに記憶されている受信位置情報とを含む感知信号を作成する処理が行われる。このとき扱われる時刻に関する情報は、中央制御部５０の内部時計が計時している時刻に関する情報を利用する。
【００３３】
Ｓ２０では、中央制御部５０は、Ｓ１８で形成された感知信号を一般公衆回線９を介して携帯電話機７に送信する処理を実行して、再びＳ１４の処理を実行する。
次に、携帯電話機７で実行される警報処理（Ｓ３）について説明する。
【００３４】
ここで、図６は、警報処理（Ｓ３）のフローチャートである。
携帯電話機７の中央制御部７０は、図６に示すように、携帯電話機７の筐体の表面に形成された操作ボタン５ａ（図１参照）を所定の順番で操作（以下「開始操作」という）すると開始され、中央制御部７０はこの開始操作がなされたか否かを判定する（Ｓ３０）。この判定（Ｓ３０）で、開始操作がなされていないと判定された場合は（Ｓ３０：ＮＯ）待機し、開始操作がなされたと判定された場合は（Ｓ３０：ＹＥＳ）、携帯電話用通信部７１を起動し、携帯電話機５との通信回線を確立した後（Ｓ３２）、Ｓ３４の処理を実行する。
【００３５】
Ｓ３２では、中央制御部７０は、携帯電話用通信部７１等を起動する処理を実行する。携帯電話用通信部７１は、起動すると、一般公衆回線９を介して携帯電話機５と通信して、携帯電話機５との間に通信回線を確立する処理を実行する。尚、携帯電話機５において携帯電話機７と通信回線を確立する処理が実行され、携帯電話機５から携帯電話機７に通信回線を確立することを要求する信号を受信したときは、このＳ３２の処理が実行されるまで携帯電話機５側では待機し、このＳ３２が実行されたら、通信回線を確立するようにしてもよいし、その逆に、携帯電話機７において携帯電話機５と通信回線を確立するこのＳ３２の処理が実行され、携帯電話機７から携帯電話機５に通信回線を確立することを要求する信号を送信し、中継処理のＳ１４の処理が実行されるまで携帯電話機７側では待機し、このＳ１４が実行され、携帯電話機５から通信を許可する旨の信号を受信したら、通信回線を確立するようにしてもよい。その他、通信回線の確立の方法は、どのような方法で確立してもよい。
【００３６】
Ｓ３４では、中央制御部７０は、携帯電話用通信部７１が携帯電話機５から感知信号を受信したか否かを判定する。具体的には、携帯電話用通信部７１が携帯電話機５から感知信号を受信したら、その感知信号が中央制御部７０に入力されるので、感知信号の入力があったか否かを判定する。このＳ３４の判定で、感知信号を受信したと判定したら（Ｓ３４：ＹＥＳ）、Ｓ３６の処理を実行し、感知信号を受信していないと判定したら（Ｓ３４：ＮＯ）、Ｓ３８の処理を実行する。
【００３７】
Ｓ３６では、中央制御部７０は、ＲＡＭ７０ａに感知信号に含まれている各種情報を記憶する処理を実行するとともに、次に感知信号を受信するまでの時間の計時を行う処理を実行する。
【００３８】
Ｓ３８では、中央制御部７０は、Ｓ３６で最後に感知信号を受信してから所定時間経過したか否かを判定する処理を実行する。そして最後に感知信号を受信してから所定時間経過していないと判定したら（Ｓ３８：ＮＯ）、Ｓ５０の処理を実行し、所定時間経過したと判定したら（Ｓ３８：ＹＥＳ）、Ｓ４０〜Ｓ４２の処理を実行する。
【００３９】
Ｓ４０では、中央制御部７０は、ＲＡＭ７０ａに記憶された最新の受信位置情報に基づいて、記憶部７２から地図情報を読み出す処理を実行する。そして、Ｓ４２では、図７に示すように、その読み出された地図情報で表される地図及び、受信位置情報及び受信時刻情報に基づいて、地図７ａの画像と共に、その地図上に、受信位置及び受信時刻を指し示す画像７ｂをモニタ７３に表示する処理を実行する。また、このとき、スピーカ７４から警報音を発する処理も実行して、次に、Ｓ４４の処理を実行する。
【００４０】
Ｓ４４では、中央制御部７０は、操作ボタン５ａを所定の順番で操作（以下「解除操作」という）されたか否かを判定し（Ｓ４４）、解除操作がなされなかったら（Ｓ４４：ＮＯ）、引き続き警報音を発する処理や、地図７ａの表示を行う処理を継続し、解除操作がなされたら（Ｓ４４：ＹＥＳ）、警報音を停止し、さらに地図の表示を停止して（Ｓ４５）、Ｓ５０の処理を実行する。
【００４１】
Ｓ５０では、中央制御部７０は、携帯電話機７の筐体の表面に形成された操作ボタン５ａ（図１参照）が所定の順番で操作（以下「停止操作」という）されたか否かを判定し、停止操作がなされた場合は（Ｓ５０：ＹＥＳ）、再びＳ３０の処理を実行し、停止操作がなされなかった場合は（Ｓ５０：ＮＯ）、Ｓ３４の処理を実行する。
以上説明した本実施形態の監視システム１の特徴的な構成による作用・効果について説明する。
【００４２】
課題を解決する手段の欄でも説明したように、人は健康であれば何らかの動きがあり、一方、人は、死亡したり、気を失ったりしたときに動きが止まる。そこで、本実施形態の監視システム１を構成するＩＣタグ３を監視対象である監視対象者に取り付けると、このＩＣタグ３は監視対象の動作を感知して、この感知による感知信号を無線で発信するので、監視対象者が健康で活動していれば、感知信号が発信される。
【００４３】
また本実施形態の監視システム１では、このＩＣタグ３から発信された感知信号を、携帯電話機５を構成するＩＣタグ用通信部５２が受信すると、携帯電話機５を構成する携帯電話用通信部５１が、一般公衆回線９を介してさらに送信する。そのため、監視対象に取り付けられたＩＣタグ３から感知信号を受信できる位置（監視対象の近傍）に携帯電話機５を配置しておけば、一般公衆回線９を利用することによって、感知信号をさらに遠方に送信することができる。
【００４４】
そして、本実施形態の監視システム１では、携帯電話機７の携帯電話用通信部７１が、この携帯電話機５から一般公衆回線９を介して感知信号を受信すると、携帯電話機７の中央制御装置７０がＳ４２の処理を実行し、この携帯電話用通信部７１で受信した感知信号に基づき、監視対象者の動作が途切れた位置及び時刻を、地図上に表示するとともに（図７参照）、警報音を出力する。そのため、この携帯電話機７を監視者の近傍に配置しておけば、この携帯電話機７が感知信号を受信したとき、監視対象の動作状態（動作が途切れたこと）が、その動作が途切れた位置及び時刻を地図上に表示すること及び警報音が鳴動することによって表示出力あるいは音出力されるので、監視者は、遠方の監視対象者が活動しているか否かを携帯電話機７からの出力によって把握することができる。
【００４５】
従って、この監視システム１を用いると、監視者と監視対象者とが互いに離れていても、監視者が監視対象者の活動状態を監視することができる。
また、本実施形態の監視システム１で用いられているＩＣタグ３は、監視対象者が動いて感知錘３４に慣性力が作用すると、感知錘３４が圧電素子３６を押圧し、この押圧された圧電素子３６から電力が出力されるよう構成されている。そして、このＩＣタグ３は、この電力を利用して、発信器４０が感知信号を無線で発信している。このように、本実施形態のＩＣタグ３は、簡単な構造で監視対象の動作状態を感知することができ、しかも、その感知信号を発信することができる。
【００４６】
本実施形態の監視システム１で用いられている携帯電話機５は、監視対象者にＩＣタグ３を取り付けて監視する場合に、監視対象者が携帯電話機５を携帯できるので、ＩＣタグ３から発信される送信距離の短い感知信号でも確実に受信できる。また、ＩＣタグから発信される感知信号は、監視対象者の動作から得られるエネルギーを用いて発信しているので通信距離が短く、そのため、ＩＣタグから発信される感知信号の送信範囲の外に携帯電話機５を投げるなどして離せば、ＩＣタグ３から感知信号が発信されていても、携帯電話機５はＩＣタグ３から感知信号を受信できなくなる。また、本実施形態では、携帯電話機７において、携帯電話機５から感知信号を所定時間以上受信できなくなったら警報音を発するよう設定されているので、監視対象者は、携帯電話機５を自分から遠ざけるだけで、なんらかの異変が生じたことを、監視者に知らせることができる。近年子供や女性の誘拐が多発しているので、女性や子供に本実施形態の監視システム１のＩＣタグ３を服や身の回り品に取り付け、携帯電話機５を女性や子供に携帯させれば、女性や子供は、携帯電話機５を遠ざけるだけの簡単な操作で、親等の監視者に異常事態が発生したことを知らせることができる。
【００４７】
携帯電話機７は、携帯可能に形成されているので、監視者は、この携帯電話機７を携帯すれば、どこにいても携帯電話機５から感知信号を受信できるので、監視者は監視対象者の活動状態を移動先でも監視することができる。
【００４８】
この監視システム１では、携帯電話機５が感知信号を受信した受信位置を監視対象者の動作があった位置として出力するよう構成されているが（Ｓ１８〜Ｓ２０）、これは、ＩＣタグ２０から発信される感知信号の通信距離が短く、また、携帯電話機７が携帯電話機５及び監視対象者から見て遠方に位置するので、携帯電話機７から見た携帯電話機５の位置と監視対象者の位置がほとんど変わらないためである。このように構成された監視システム１では、受信位置情報を利用すれば、監視対象者の活動が停止したときなど、活動状態に変化があったとき、その位置が地図上に表示され、また警報音も発せられるので、その変化があった位置を、遠方にいる監視者に地理感覚的に分かりやすく、かつ、正確に把握させることができる。
【００４９】
また、携帯電話機５が感知信号を受信する時刻（Ｓ１８）は、ほぼＩＣタグ３が感知信号を発信する時刻であるので、この監視システム１を用いれば、監視対象者の活動が停止したときなど、活動状態に変化があったとき、その時刻が表示されるので、その変化があった時刻を適格に把握することができる。
【００５０】
尚、本実施形態のＩＣタグ用通信部５２は本発明の第１受信手段に相当し、携帯電話用通信部５１及びＳ２０の処理を実行する中央制御部５０が送信手段に相当し、携帯電話機５が第１装置に相当する。
【００５１】
本実施形態の携帯電話用通信部７１が本発明の第２受信手段に相当し、モニタ７３、スピーカ７４及びＳ４２の処理を実行する中央制御部７０が出力手段に相当し、携帯電話機７が第２装置に相当する。
【００５２】
本実施形態のＧＰＳ受信部５３とＳ１８の処理を実行する中央制御部５０が受信位置特定手段に相当し、記憶部７２が地図情報記憶手段に相当し、Ｓ１８の処理を実行する中央制御部５０が受信時刻特定手段に相当する。
【００５３】
以上本発明の一実施形態ついて説明したが、本発明はこの実施形態に何等限定されるものではなく、本発明の要旨を逸脱しない範囲において、種々なる態様で実施し得ることは勿論である。
【００５４】
例えば、上記実施形態では、監視対象者を監視する例について説明したが、その用途に限られず、例えば、不審者の侵入を監視することなどにも適用できる。この場合ＩＣタグ３は、ドアノブや、ガラス戸、玄関マットその他、侵入者の進入する際に動くことが想定されるものに取り付け、携帯電話機５をそれらに取り付けられたＩＣタグ３から発信される感知信号を受信可能な位置に設置するとよい。この場合、感知信号は、受信されない状態が続くので、携帯電話機７で行われる警報処理（Ｓ３）では、感知信号を受信したら、ただちに警報処理を行うようにするとよい。また、警報の方法としては、警報音をならしてもよいし、警告光を点滅させるなどしてもよいし、バイブレーターを携帯電話機７に組み込み、バイブレーターを振動させてもよいし、その他、感知結果が監視者にわかるように出力されればよい。
【００５５】
また、上記実施形態では、警報がなされるとき（Ｓ４２）、自動的に受信位置及び受信時刻が表示されるように構成したが、Ｓ４２では警報音のみを出力し、警報音が鳴動中に操作ボタン５ａを操作すると、図７に示すような受信位置を地図上に表示した画面を表示するようにしてもよい。
【００５６】
また、上記実施形態の第２装置は、監視対象の動作状態を出力する際、監視者の操作があったとき、監視対象が動作した時刻を時系列的に表形式で表示するなどしてもよい。このようにすると、例えばＩＣタグ３を財布に取り付けておいた場合、その財布が動いた時刻、すなわち使用した時刻を時系列的に認識することができる。忘れ物や探し物をするときなどに便利である。尚、この際、各ＩＣタグ３には識別情報が記憶されているので、この識別情報を利用して、識別情報ごとに感知信号を携帯電話機７に記憶しておき、監視者の操作に応じて、監視対象ごとに、感知信号に基づく表示（例えば、監視対象を使用した時刻の時系列的な表示など）を行ってもよい。
【００５７】
感知信号が発信された位置を特定するため、上記実施形態ではＧＰＳを用いたが、例えば、家の階や部屋を示す信号を出力する私用の装置を設置し、その装置から受けた電波等と利用して位置を特定してもよく、位置を特定できるものであれば、どのようなものを利用してもよい。また、上記実施形態では、複数のＩＣタグ３を用いた監視システムを用いたものについて説明したが、一つのＩＣタグ３を用いてもよいことはもちろんである。
【００５８】
また、上記実施形態では、ＩＣタグ３として、加速度センサを用いたが、監視対象の動作を感知できるものならば、どのようなセンサを用いても良い。
【図面の簡単な説明】
【００５９】
【図１】本実施形態の監視システムの全体を示す模式図である。
【図２】ＩＣタグの説明図で、（ａ）はＩＣタグの斜視図、（ｂ）（ｃ）は（ａ）のＡ−Ｂ、Ａ’−Ｂ’の各点線を通る断面で分割したときのＩＣタグの分割面の平面図で、（ｂ）は、Ａ、Ａ’で示す矢印の方向を見た平面図であって、ＩＣタグを構成する加速度センサの平面図、（ｃ）は、Ｂ、Ｂ’で示す矢印の方向を見た平面図であって、ＩＣタグを構成する発信部の平面図である。（図中の黒点「●」は、発信部と加速度センサとの接合面を通っていることを示すための印である）
【図３】第１装置の内部構成を示すブロック図である。
【図４】第２装置の内部構成を示すブロック図である。
【図５】中継処理のフローチャートである。
【図６】警報処理のフローチャートである。
【図７】警報処理でモニタに表示される画像である。
【符号の説明】
【００６０】
１…監視システム、３…ＩＣタグ、５…携帯電話機、５ａ…操作ボタン、７…携帯電話機、７ａ…操作ボタン、７ａ…地図、７ｂ…画像、９…一般公衆回線、３０…加速度センサ、３２…筐体、３２ａ…収納穴、３４…感知錘、３６…圧電素子、３６ａ…電力線、４０…発信器、４２…筐体、４２ａ…収納穴、４４…ＩＣチップ、４６…アンテナ、５０…中央制御部、５１…携帯電話用通信部、５２…ＩＣタグ用通信部、５３…ＧＰＳ受信部、５４…記憶部、５５…操作ボタン制御部、７０…中央制御部、７１…携帯電話用通信部、７２…記憶部、７３…モニタ、７４…スピーカ、７５…操作ボタン制御部
【図１】
2007004597.tif 000003
【図２】
2007004597.tif 000004
【図３】
2007004597.tif 000005
【図４】
2007004597.tif 000006
【図５】
2007004597.tif 000007
【図６】
2007004597.tif 000008
【図７】
2007004597.tif 000009